(57)【要約】【課題】クロノ計測スタート操作とクロノ計測ストップ操作の操作感が異なるようにしたクロノグラフ時計において、クロノグラフの最大計測時間まで計測した場合でも、クロノ計測スタート時の操作感が変化しないようにすること。【解決手段】最大計測制御部６１は、クロノ秒カウンタ５７及びクロノ分カウンタ５８が最大計測時間を計測したと判定すると、クロノグラフ針１４、１５が所定位置に停止するようにモータ３５を駆動して停止するよう駆動パルス発生回路５２を制御する。この状態で、スタート／ストップボタン１８が再スタート操作されると、通常通りのクロノ計測動作が再スタートする。このとき、機械的構造５はリセット状態に戻っているため、最大計測時間を計測した後の再スタート時でも、スタート操作時の負荷は通常と同じになり、違和感が生じない。【選択図】  図１
2011022042.tif 000002
【特許請求の範囲】
【請求項１】
クロノ計測のスタート操作、ストップ操作及びリセット操作を行う操作手段と、所定の最大計測時間以内のクロノ計測動作を行うクロノ計測手段と、クロノ計測した時間を表示するクロノグラフ針と、前記クロノグラフ針を駆動する駆動手段と、前記スタート操作に応答して前記最大計測時間以内のクロノ計測動作の開始、前記ストップ操作に応答してクロノ計測動作の停止および前記リセット操作に応答してクロノ計測動作のリセットを行うように前記クロノ計測手段を制御すると共に、前記クロノ計測手段が計測した時間に応じて前記クロノグラフ針を駆動するように前記駆動手段を制御する制御手段と、前記スタート操作に応じて帰零状態からスタート状態に変位して前記クロノグラフ針を運針可能に規正解除し、前記リセット操作に応じて前記スタート状態から前記帰零状態に変位して前記クロノグラフ針を規正して保持すると共に、前記スタート状態と帰零状態における前記操作手段の操作感を変えるレバー手段とを有し、
前記制御手段は、前記クロノ計測手段が前記最大計測時間を計測して計測停止状態となった場合、前記リセット操作後に前記スタート操作が行われたときにクロノ計測動作をスタートして前記クロノグラフ針を駆動するように前記クロノ計測手段及び駆動手段を制御することを特徴とするクロノグラフ時計。
【請求項２】
前記制御手段は、前記最大計測時間を計測した場合、前記クロノグラフ針が帰零位置に停止するように前記駆動手段を制御することを特徴とする請求項１記載のクロノグラフ時計。
【請求項３】
前記制御手段は、前記最大計測時間を計測した場合、前記クロノグラフ針が帰零位置の所定量手前で停止するように前記駆動手段を制御することを特徴とする請求項１記載のクロノグラフ時計。
【請求項４】
前記制御手段は、前記最大計測時間を計測した場合、前記クロノグラフ針が前記最大計測時間の１ステップ手前の位置で停止するように前記駆動手段を制御することを特徴とする請求項３記載のクロノグラフ時計。
【発明の詳細な説明】
【技術分野】
【０００１】
本発明は、時刻の指示機能及び時間計測機能を有するクロノグラフ時計に関する。
【背景技術】
【０００２】
従来から、複数の指針を各々駆動するために複数の駆動モータを搭載し、時刻情報の表示を基本機能として更に時間計測行うクロノ計測機能を搭載したクロノグラフ時計において、各指針の駆動は前記駆動モータによって電気的に行い、クロノグラフ針の帰零をハートカムなどの機械的機構によって行うクロノグラフ時計が開発されている（例えば、特許文献１参照）。
【０００３】
前記従来のクロノグラフ時計では、通常使用において、操作部のクリック感がクロノ計測スタート操作時は重く、クロノ計測ストップ操作時は軽くなることで、ユーザは現在の操作がどちらかを操作部の操作感で判断ができる様になっている。
ところが、クロノグラフ時計が計測可能な最大時間である最大計測時間まで計時した場合、電気的にはクロノ計測を自動的に停止する。しかし、機構的には操作部の操作に連動して変位するレバーがクロノ計測状態に維持されているため、この状態でクロノ計測を再開するように操作部を操作すると、ストップ操作時のように軽いクリックとなってしまい、通常使用時の操作感覚と一致しなくなるという問題がある。
【先行技術文献】
【特許文献】
【０００４】
【特許文献１】特開昭６１−７３０８５号公報
【発明の概要】
【発明が解決しようとする課題】
【０００５】
本発明は前記問題に鑑み成されたもので、クロノ計測スタート操作時とクロノ計測ストップ操作時の操作部の操作感が異なるようにしたクロノグラフ時計において、クロノグラフの最大計測時間まで計時した場合でも、クロノ計測スタート時の操作感が変化しないようにすることを課題としている。
【課題を解決するための手段】
【０００６】
本発明によれば、クロノ計測のスタート操作、ストップ操作及びリセット操作を行う操作手段と、所定の最大計測時間以内のクロノ計測動作を行うクロノ計測手段と、クロノ計測した時間を表示するクロノグラフ針と、前記クロノグラフ針を駆動する駆動手段と、前記スタート操作に応答して前記最大計測時間以内のクロノ計測動作の開始、前記ストップ操作に応答してクロノ計測動作の停止および前記リセット操作に応答してクロノ計測動作のリセットを行うように前記クロノ計測手段を制御すると共に、前記クロノ計測手段が計測した時間に応じて前記クロノグラフ針を駆動するように前記駆動手段を制御する制御手段と、前記スタート操作に応じて帰零状態からスタート状態に変位して前記クロノグラフ針を運針可能に規正解除し、前記リセット操作に応じて前記スタート状態から前記帰零状態に変位して前記クロノグラフ針を規正して保持すると共に、前記スタート状態と帰零状態における前記操作手段の操作感を変えるレバー手段とを有し、前記制御手段は、前記クロノ計測手段が前記最大計測時間を計測して計測停止状態となった場合、前記リセット操作後に前記スタート操作が行われたときにクロノ計測動作をスタートして前記クロノグラフ針を駆動するように前記クロノ計測手段及び駆動手段を制御することを特徴とするクロノグラフ時計が提供される。
【発明の効果】
【０００７】
本発明に係るクロノグラフ時計によれば、クロノグラフの最大計測時間まで計時した場合でも、クロノ計測スタート時の操作感が変化しないようにすることが可能になる。
【図面の簡単な説明】
【０００８】
【図１】本発明の実施の形態に係るクロノグラフ時計のブロック図である。
【図２】本発明の実施の形態に係るクロノグラフ時計のクロノグラフ機構の機械的構成の概要を示す平面図である。
【図３】本発明の実施の形態に係るクロノグラフ時計の外観を示す平面図である。
【図４】本発明の実施の形態に係るフローチャートである。
【図５】本発明の他の実施の形態に係るフローチャートである。
【発明を実施するための形態】
【０００９】
本発明の実施の形態に係るクロノグラフ時計１は、図３に示すように、腕時計の形態で、中心軸線Ｃ１のまわりで回転され現在時刻を表示する時刻針（時針１１、分針１２及び秒針１３）を備えると共に、クロノグラフ針（中心軸線Ｃ２のまわりで回転されるクロノグラフ秒針１４及び中心軸線Ｃ３のまわりで回転されるクロノグラフ分針１５）を備える。
例えば、Ｄ１方向に二段引出した状態で巻真１６を回すことにより時刻針１１〜１３を回転することができ又、巻真１６をＤ１方向に一段引出した状態で巻真１６を回すことにより窓を介して表示される日車の日付１７を変更できるように構成されている。クロノグラフ時計１の通常の時刻表示にかかわる動作は、通常の電子時計と同じであり、当業者に周知であるので、以下では、通常運針に係る構造や機能や動作については、記載を省略する。
【００１０】
クロノグラフ時計１では、クロノグラフ針１４、１５は、ステッピングモータによって電気的に駆動制御され、機械的構成によって帰零制御される。
クロノグラフ時計１では、スタート／ストップボタン１８をＡ１方向に押すことにより、クロノグラフ時計１によるクロノグラフ動作の開始、停止が指示される。より詳しくは、クロノグラフ動作の開始／停止とは、クロノグラフ針１４、１５の運針の開始／停止を指し、後述のようにこれに関連して電気的な駆動系の動作及びクロノグラフ針の電気的な位置情報の保持が行われる。但し、場合によっては、クロノグラフ針の電気的な位置情報は保持していなくてもよい。尚、スタート／ストップボタン１８及びリセットボタン１９は操作手段を構成している。
【００１１】
クロノグラフ時計１では、また、リセットボタン１９をＢ１方向に押すことにより、クロノグラフ時計１によるクロノグラフ動作のリセットすなわち初期状態への復帰（帰零）が指示される。より詳しくは、クロノグラフ動作のリセットとは、クロノグラフ針１４、１５の初期位置（正時位置）への強制的な復帰（帰零）、並びにクロノグラフ針１４、１５の運針の規正及びクロノグラフ針の電気的な位置情報のリセットを指す。
【００１２】
まず、クロノグラフ時計１のスタート、運針及び帰零にかかわる機械的構造５及び動作について、主として、図２の（ａ）及び（ｂ）に基づいて説明する。なお、クロノグラフ時計１のスタート、運針及び帰零にかかわる機械的構造５は、図１のブロック図の左側部分にも、簡単に示されている。
クロノグラフ時計１は、通常運針用（時刻針運針用）モータ（図示せず）とは別にクロノグラフ針運針用モータ３５を備え、該クロノグラフ針運針用モータ３５は、回転駆動された際、クロノグラフ針運針用輪列３６を介して、クロノグラフ針１４、１５を運針させる。
【００１３】
前記通常運針用モータやクロノグラフ針運針用モータ３５は、時計用に使用されている周知構成のステッピングモータである。前記ステッピングモータは、ロータ収容孔及びロータの停止位置を決める位置決め部を有するステータと、前記ロータ収容孔内に配設されたロータと、駆動コイルとを有し、前記駆動コイルに交互に極性の異なる交番信号（駆動パルス）を供給して前記ステータに磁束を発生させることによって前記ロータを回転させると共に、前記位置決め部に対応する位置に前記ロータを停止するようにしたステッピングモータである。極性の異なる駆動パルスによって交互に駆動する毎に所定角度（例えば１８０度）ずつ前記ロータが連続的に回転し、複数の同相の駆動パルスによって続けて駆動しても最初の駆動パルスによって回転した場合には２番目以降の同相の駆動パルスでは回転しないような構成となっている。
【００１４】
クロノグラフ時計１は、クロノグラフ秒針１４のあるクロノグラフ秒真２１に取付けられたクロノグラフ秒カム２２及びクロノグラフ分針１５のあるクロノグラフ分真２３に取付けられたクロノグラフ分カム２４を備える。
クロノグラフ時計１は、また、復針伝達第一レバー（以下では、「復針伝達レバーＢ」ともいう）２５、復針伝達第二レバー（以下では、「復針伝達レバーＡ」ともいう）２６及び復針レバー２７を備えると共に、停止レバー２８を備える。
クロノグラフ秒カム２２、クロノグラフ分カム２４及び復針レバー２７は規正機構を構成し、復針伝達第二レバー２６及び復針レバー２７は解除手段を構成している。また、クロノグラフ秒カム２２、クロノグラフ分カム２４、復針レバー２７、復針伝達第一レバー２５、復針伝達第二レバー２６は機械的リセット手段を構成している。また、復針伝達第一レバー２５、復針伝達第二レバー２６及び復針レバー２７はレバー手段をも構成している。
【００１５】
復針伝達第一レバー２５は、基準位置Ｊ１（図２の（ｂ）の実線）と帰零位置Ｊ２（図２の（ａ）の実線で（ｂ）の点線）との間で回動可能であり、位置決めピン２５ａが係合する溝を備えたばね状位置決め部材２９と係合して、基準位置Ｊ１又は帰零動作位置Ｊ２に位置決めされる。復針伝達第二レバー２６は、長穴２６ａで復針伝達第一レバー２５のピン２５ｂに係合している。復針伝達第一レバー２５が基準位置Ｊ１から帰零位置Ｊ２に移動され位置設定されると、復針伝達第二レバー２６が基準位置Ｋ１（図２の（ｂ）の実線）から帰零位置Ｋ２（図２の（ａ）の実線で（ｂ）の点線）に移動される。
【００１６】
一方、復針伝達第二レバー２６が帰零位置Ｋ２から基準位置Ｋ１に移動され位置設定されると、復針伝達第一レバー２５が帰零位置Ｊ２から基準位置Ｊ１に移動され位置決めされる。
復針レバー２７は、長穴２７ａで復針伝達第二レバー２６のピン２６ｂに係合し、復針伝達第二レバー２６の基準位置Ｋ１又は帰零位置Ｋ２への位置設定に応じて、基準位置Ｍ１（図２の（ｂ）の実線）又は帰零位置Ｍ２（図２の（ａ）の実線で（ｂ）の点線）に位置決めされる。
復針レバー２７が帰零位置Ｍ２に設定されると、復針レバー２７は、秒ハンマー部２７ｂでクロノグラフ秒カム２２を叩いてクロノグラフ秒針１４を初期位置に帰零させると共に、分ハンマー部２７ｃでクロノグラフ分カム２４を叩いてクロノグラフ分針１５を初期位置に帰零させる。
【００１７】
停止レバー２８は、ばね部２８ａ、係合腕部２８ｂ及び係止腕部２８ｃを備え、帰零時の訂正制御位置ないし規正位置Ｅ２（図２の（ａ）の実線で（ｂ）の点線）と訂正制御解除位置ないし規正解除位置Ｅ１（図２の（ｂ）の実線）との間でピン２８ｄのまわりで回動可能である。停止レバー２８の係止腕部２８ｃは、該停止レバー２８が規正位置Ｅ２にある状態ＳＥ２ではクロノグラフ運針用モータ３５のロータ歯車３５ａにつながるクロノグラフ運針用輪列３６のいずれかの車３６ａに対して係合して輪列３６の回転を規正し、停止レバー２８が規正解除位置Ｅ１にある状態ＳＥ１では、輪列３６の車３６ａから離されて、モータ３５のロータ歯車３５ａ及び輪列３６の回転を許容する。
【００１８】
ばね部２８ａにおいて規正位置Ｅ２に向かう方向の偏倚力を受けている停止レバー２８は、復針伝達第一レバー２５が帰零位置Ｊ２から基準位置Ｊ１に回動変位される際に、係合腕部２８ｂにおいて復針伝達第一レバー２５の腕部２５ｄと係合して帰零時の規正位置Ｅ２から規正解除位置Ｅ１に回動変位される。一方、復針第一レバー２５が基準位置Ｊ１から帰零位置Ｊ２に移動されると、該復針第一レバー２５の腕部２５ｄと係合腕部２８ｂとの係合が解除されるので停止レバー２８はばね部２８ａのばね力により規正解除位置Ｅ１から規正位置Ｅ２に戻される。
【００１９】
クロノグラフ時計１が、図２の（ａ）に示した帰零（リセット）状態Ｓ２にある際に、スタート／ストップボタン１８がＡ１方向に押圧操作されると、復針伝達第二レバー２６が突起部２６ｃでＡ１方向に押されて位置Ｋ２から位置Ｋ１に変位されると共に、復針伝達第一レバー２５が位置Ｊ２から位置Ｊ１に変位され、復針レバー２７が位置Ｍ２から位置Ｍ１に変位される。これにより、ハンマー部２７ｂ、２７ｃによるハートカム２２、２４及びクロノグラフ針１４、１５の回転規正（帰零制御）が解除される。また、復針伝達第一レバー２５の位置Ｊ２から位置Ｊ１への回動に応じて、該復針伝達第一レバー２５の腕部２５ｄに腕部２８ｂで係合した停止レバー２８が規正位置Ｅ２から規正解除位置Ｅ１に回動され、停止レバー２８の係止腕部２８ｃがクロノグラフ輪列３６から離脱して輪列３６の回転規正（停止制御）を解除する。これにより、機械的制御機構５が状態Ｓ１に戻され、クロノグラフ針１４、１５が回転可能になる。
【００２０】
一方、クロノグラフ時計１が、図２の（ｂ）に示したスタート状態ないし運針状態Ｓ１にある際に、リセットボタン１９がＢ１方向に押圧操作されると、復針伝達第一レバー２５が突起部２５ｃでＢ１方向に押されて復針伝達第一レバー２５が位置Ｊ１から位置Ｊ２に変位される。復針伝達第一レバー２５が位置Ｊ１から位置Ｊ２に変位されると、一方では、該レバー２５に係合した復針伝達第二レバー２６が位置Ｋ１から位置Ｋ２に移動され、該レバー２６に係合した復針レバー２７が位置Ｍ１から位置Ｍ２に移動して、秒ハンマー２７ｂ及び分ハンマー２７ｃが秒ハートカム２２及び分ハートカム２４を叩いてクロノグラフ秒針１４及びクロノグラフ分針１５を帰零させ、他方では、停止レバー２８に対する腕部２５ｄの係止が解除され停止レバー２８が位置Ｅ１から位置Ｅ２に回動されて、腕部２８ｃでクロノグラフ輪列３６に係合して、輪列３６を規正する。
【００２１】
上述したように、図２の（ａ）に示した帰零（リセット）状態Ｓ２にある際に、スタート／ストップボタン１８をＡ１方向に押圧操作してスタート操作した場合、スイッチばね３３、復針伝達レバー２６、復針伝達レバー２５、復針レバー２７がスタート操作時の負荷（第１負荷）となる。
一方、詳細は後述するが、クロノグラフ時計が計測可能な最大の時間である最大計測時間を計測した場合、電気的計測手段は計時動作を終了し、クロノグラフ針は所定位置で停止し、機械的構造５のレバー２５〜２７はリセットされていないため図２の（ｂ）に示したスタート状態ないし運針状態Ｓ１に止まることになる。したがって、この状態でクロノ計測を再スタートする場合、図２の（ｂ）の状態でスタート／ストップボタン１８がＡ１方向に押圧操作されることになる。
【００２２】
クロノグラフ時計１の機械的構造５が、図２の（ｂ）に示したスタート状態ないし運針状態Ｓ１にある際のスタート操作時の負荷（第２負荷）はスイッチバネ３３のみとなり、通常のスタート操作時の負荷とは大きくことなってしまい、ユーザは違和感を感じることになる。本実施の形態では後述するように、最大計測時間を計測した場合、リセット操作して図２（ａ）の帰零状態Ｓ２に戻した後でなければ、クロノ計測動作を再スタートできないようにして、最大計測時間計測後の再スタート操作負荷が通常時のスタート操作負荷と同じになるようにしている。
尚、クロノグラフ時計１が、図２の（ｂ）に示したスタート状態ないし運針状態Ｓ１にある際に、リセットボタン１９のリセット操作時の負荷（第３負荷）はスイッチバネ３１、復針伝達レバー２５、復針伝達レバー２６、復針レバー２７である。
【００２３】
クロノグラフ時計１について、図２の（ａ）及び（ｂ）に示した機械的構造５に関連する範囲で電気的な側面について言えば、次のとおりである。
クロノグラフ時計１が、図２の（ａ）に示したリセット状態Ｓ２にある際に、スタート／ストップボタン１８がＡ１方向に押圧されると、該スタート／ストップボタン１８はその奥端の近傍においてＡ２方向の偏倚力を及ぼすスタート／ストップスイッチバネ３３を押して、接点部３４を閉じさせ、該接点部３４を介して、スタート信号Ｐａ（図１）を発生させる。なお、クロノグラフ時計１が、図２の（ｂ）に示したスタート状態Ｓ１にある際に、スタート／ストップボタン１８がＡ１方向に押圧されると、該スタート／ストップボタン１８はスタート／ストップスイッチバネ３３を押して、接点部３４を閉じさせ、該接点部３４を介して、ストップ（停止）信号Ｐｂ（図１）を発生させる。
【００２４】
一方、クロノグラフ時計１が、図２の（ｂ）に示したスタート状態（又はストップ状態）Ｓ１にある際に、リセットボタン１９がＢ１方向に押圧されると、該リセットボタン１９はその奥端の近傍においてＢ２方向の偏倚力を及ぼすリセットスイッチバネ３１を押して、接点部３２を閉じさせ、該接点部３２を介して、リセット信号Ｑａ（図１）を発生させる。
以上のような動作のうち、以下では、図２（ａ）の帰零状態Ｓ２において、スタート／ストップボタン１８がＡ１方向に押圧された際のスタート動作の開始及び進行を中心に、より詳しく説明する。
【００２５】
即ち、スタート／ストップボタン１８のＡ１方向押圧に伴い、一方では、スイッチ接点３４を介して電気的な駆動開始信号Ｐａが出されてこれによりモータ３５の回転駆動が行われ、他方では、復針伝達第二レバー２６の回動に伴う復針レバー２７の回動により機械的な帰零制御状態が解除されると共に、該復針伝達第二レバー２６及び復針伝達第一レバー２５の回動に伴う停止レバー２８の回動により輪列３６の係止（停止制御状態）が解除されて、運針が機械的に許容される（機械的な規正が解除される）。
【００２６】
ここで、クロノグラフ時計１が適正に動作し、計時が正確に行われるためには、機械的な規正解除が完了した後でモータ３５の回転駆動が行われる必要がある。このクロノグラフ時計１では、構造の複雑化及びこれに要するコストの増加を避けつつ、機械的な規正解除が完了した後で電気的な駆動が行われることを確実に行わせるようにしている。また、最大計測時間を計測した場合、リセット操作して図２（ａ）の帰零状態Ｓ２に戻した後でなければ、再スタート操作できないようにして、最大計測時間計測後の再スタート操作負荷が通常時のスタート操作負荷と同じになるように構成している。以下では、この点を中心に詳しく説明する。
【００２７】
次に、クロノグラフ時計１の電気的駆動機構６の概要を、図２の機械的構造５を参照しつつ、主として図１のブロック図に基づいて説明する。
クロノグラフ時計１のクロノグラフ運針用モータ３５の回転は、発振回路４１及び分周回路４２を介して与えられるクロックパルスに基づいて駆動制御されるクロノグラフ針運針用モータ３５の駆動制御用集積回路５０によって、制御される。
【００２８】
モータ駆動制御用集積回路５０は、基本駆動制御部５１と、駆動パルス発生回路５２と、モータ駆動回路５３と、帰零制御部５４と、回転検出回路５５と、クロノグラフ時計１が計測可能な最大の時間である最大計測時間の計測が行われたか否かの判定を行う最大計測制御部６１を有する。ここで、クロノグラフ針運針用モータ３５の駆動手段は、駆動パルス発生回路５２と、モータ駆動回路５３と、回転検出回路５５とを有する。また、制御手段は、基本駆動制御部５１と、帰零制御部５４と、最大計測制御部６１を有する。また、帰零制御部５４は電気的にリセットする電気的リセット手段を構成しており、前述した機械的リセット手段とともにリセット手段を構成している。
尚、モータ駆動制御用集積回路５０は、更に、クロノグラフ秒をカウントし該クロノグラフ秒情報を保持するクロノグラフ秒カウンタ５７、及びクロノグラフ分をカウントし該クロノグラフ分情報を保持するクロノグラフ分カウンタ５８を有する。クロノグラフ時をカウントし該クロノグラフ時情報を保持するクロノグラフ時カウンタが更に設けられていてもよい。
【００２９】
基本駆動制御部５１は、クロノグラフ時計１が帰零（リセット）状態Ｓ２にある際におけるスタート／ストップボタン１８の押下げに応じて接点部３４を介して与えられるスタート信号ないし作動信号Ｐａを受信する。
基本駆動制御部５１は、スタート信号ないし作動信号Ｐａを受取ると、チャタリング防止用の短い期間をおいて、駆動制御信号Ｐｄを発する。以下では、特に断わらない限り、スタート信号ないし作動信号Ｐａの受信時点と駆動制御信号Ｐｄの送信時点とは、実質的に同一であるとする。駆動制御信号Ｐｄは、クロノグラフ動作が行われている期間は高レベルに保たれる信号である。
基本駆動制御部５１は、また、クロノグラフ時計１がスタート状態Ｓ１にある際におけるスタート／ストップボタン１８の押下げに応じて接点部３４を介して与えられるストップ（停止）信号Ｐｂを受取る（又は接点部３４からのスタート信号ないし作動信号Ｐａの送出が停止される）と、駆動制御信号Ｐｄの送信を停止する。
【００３０】
基本駆動制御部５１からの駆動制御信号Ｐｄはクロノグラフ秒カウンタ５７にも与えられ、クロノグラフ秒カウンタ５７は、駆動制御信号Ｐｄが高レベルに保たれている間、分周回路４２から与えられるクロックパルスを受取ってクロノグラフ秒をカウントすると共に、該駆動制御信号Ｐｄに基づいてクロノグラフとしての計時を開始した時点を始点として該時点から周期Ｔ毎にクロノグラフタイミングパルスＰｈを発する。このパルスＰｈの周期（クロノグラフ針駆動周期）Ｔは、クロノグラフ時計１の計時精度に対応し、例えば、１／１００秒（即ち、１０ｍｓ）である。また、クロノグラフ針の１運針（１ステップ）が前記計時精度に対応する。
【００３１】
駆動パルス発生回路５２は、駆動制御信号Ｐｄを受けると、通常のクロノグラフ針駆動用の主駆動パルスＧをモータ駆動回路５３に与える。モータ駆動回路５３は、該主駆動パルスＧに対応するモータ駆動パルスＵをクロノグラフ針運針用モータ３５に与えて、該モータ３５を回転駆動する。以後、モータ３５は極性の異なる通常の主駆動パルスＵ（Ｐ１−１、Ｐ１−２）によって交互に駆動されて所定角度ずつ回転することになる。
一方、基本駆動制御部５１が停止信号Ｐｂを受けると、該駆動制御部５１は、駆動制御信号Ｐｄの送出を停止して（所望ならば、駆動停止信号Ｐｆを与えてもよい）、駆動パルス発生回路５３からの駆動パルスＧの送出が停止され、モータ駆動回路５３によるモータ駆動パルスＵの送出が停止され、クロノグラフ針運針用モータ３５の回転駆動が停止されて、該モータ３５のロータないし出力軸の回転が停止し、クロノグラフ針運針用輪列３６を介するクロノグラフ針１４、１５の運針が停止される。
【００３２】
リセットボタン１９の押圧によりスイッチバネ３１が押下げられて接点部３２が閉じた場合、リセット信号Ｑａが帰零制御部５４に与えられる。帰零制御部５４は、接点部３２からのリセット信号Ｑａを受取ると、駆動パルス発生回路５２に駆動停止信号Ｐｆを与える。その結果、駆動パルス発生回路５２は、駆動パルスＧの発生を停止して、モータ駆動回路５３によるモータ駆動パルスＵの送出を停止させる。従って、クロノグラフ針運針用モータ３５の回転駆動が停止され、クロノグラフ針１４、１５の運針が停止される。
【００３３】
尚、帰零制御部５４は、リセット信号Ｑａの受信に応じて、クロノグラフ秒カウンタ５７及びクロノグラフ分カウンタ５８の内容をゼロにリセットする。帰零制御部５４はリセットボタン１９のリセット操作に基づくリセット信号Ｑａに基づき、クロノグラフをリセット制御（運針停止とカウンタリセット）する。
また、リセットボタン操作時にモータ３５が既に駆動中の時は回転検出回路５５の結果に基づき、基本駆動制御部５１は、回転検出回路５５が非回転を検出した場合は機械的規正による非回転と判断して、モータ駆動回路５３が次回駆動する予定の駆動パルスの極性は反転しない。これにより、帰零時の規正による非回転を検出した場合は、クロノ計測動作の再スタート時に前回と同相の駆動パルスＵによって駆動を開始することになる。
【００３４】
一方、最大計測制御部６１はスタート信号Ｐａが入力されると、最大計測時間の計測が行われたか否かの判定動作を開始する。最大計測制御部６１はストップ信号Ｐｂが入力されると、最大計測時間の計測が行われたか否かの判定動作を停止する。
最大計測制御部６１は、クロノ秒カウンタ５７及びクロノ分カウンタ５８が最大計測時間を計測した際にクロノ分カウンタ５８から出力されるキャリー信号を受信することによって最大計測時間の計測が行われたと判定する。
最大計測制御部６１はクロノ秒カウンタ５７及びクロノ分カウンタ５８が最大計測時間を計測したと判定した場合、クロノグラフ針１４、１５が所定位置に停止するようにモータ３５を駆動して停止するよう駆動パルス発生回路５２を制御する。
最大計測制御部６１は、クロノ秒カウンタ５７及びクロノ分カウンタ５８が最大計測時間を計測したと判定した場合、リセット信号Ｑａが入力されるまで、駆動パルス発生回路５２がモータ３５を駆動するのを禁止する。
最大計測制御部６１はリセット信号Ｑａが入力されると、駆動パルス発生回路５２に対する駆動動作の禁止制御を解除して、駆動パルス発生回路５２がモータ３５を回転駆動できるようにする。
【００３５】
次に、以上の如く構成されたクロノグラフ時計１の動作を、図１から図３を参照しつつ、主として図４に示したフローチャートに基づいて説明する。このフローチャートは、図１のクロノグラフ時計１のうち、主として、集積回路５０の基本駆動制御部５１及び最大計測制御部６１の動作を、該動作に対応するプログラムの処理の流れとして示したものである。
クロノグラフ時計１では、基本駆動制御部５１は、最初の処理ステップＳ４０１において、クロノグラフ動作の開始（スタート）が指示されたか否かをチェックする。このスタートチェックステップＳ４０１は、スタート／ストップボタン１８のＡ１方向押圧によるスイッチバネ３３のＡ１方向変位によって接点部３４が閉成され接触して接点部３４から作動信号ないしスタート信号Ｐａが集積回路５０の基本駆動制御部５１に与えられたか否かがチェックされることに対応する。
【００３６】
スタート信号Ｐａが出されていない場合、帰零制御部５４はステップＳ４０７においてリセット（帰零）指示が出されたか否かをチェックする。このリセットチェックステップＳ４０７は、リセット（帰零）ボタン１９のＢ１方向押圧によるスイッチバネ３１のＢ１方向変位によって接点部３２が閉成されて接点部３２からリセット信号Ｑａが集積回路５０の帰零制御部５４に与えられたか否かがチェックされることに対応する。リセット信号Ｑａが出されていない場合、最初の処理ステップＳ４０１に戻る。リセット信号Ｑａが出されている場合、帰零制御部５４はステップＳ４０８においてクロノグラフ秒カウンタ５７及びクロノグラフ分カウンタ５８の内容をゼロに戻すカウントリセット処理をした後、最初の処理ステップＳ４０１に戻る。
【００３７】
基本駆動制御部５１はスタートチェックステップＳ４０１においてクロノグラフ動作の開始指示（スタート信号Ｐａ）を確認した場合、ステップＳ４０２において、クロノグラフ動作の計時周期Ｔ（この例では、例えば、１／１００秒すなわち１０ｍｓ（ミリ秒））に相当する時間が経過したかどうかをチェックする。計時周期Ｔに達するとステップＳ４０３に移る。これは、クロノグラフ秒カウンタ５７において、クロノグラフ動作の計時開始時点以降の時間が計時され、計時周期Ｔに相当する時間に達すると、タイミングパルスＰｈが出されることに対応する。
【００３８】
基本駆動制御部５１は時間Ｔが経過したと判定した場合（ステップＳ４０２）、駆動パルス発生回路５２はクロノ針１４、１５を運針駆動するように駆動パルスＧをモータ駆動回路５３に与え、モータ駆動回路５３は該駆動パルスＧに対応するモータ駆動パルスＵをクロノグラフ針運針用モータ３５に与えて、該モータ３５を回転駆動する（ステップＳ４０３）。基本駆動制御部５１は、ステップＳ４０２において時間Ｔが経過していないと判定した場合には直ちにステップＳ４０４へ移行する。
【００３９】
次に、帰零制御部５４はリセットボタン１９がリセット操作されたか否かを判定する（ステップＳ４０４）。帰零制御部５４はステップＳ４０４においてリセットボタン１９がリセット操作されたと判定した場合、駆動パルス発生回路５２に駆動停止信号Ｐｆを送出して、モータ３５の回転駆動を停止させることによって運針停止させ（ステップＳ４０９）、クロノ秒カウンタ５７及びクロノ分カウンタ５８のカウント値をゼロにリセットした（ステップ４１０）後ステップＳ４０１に戻る。
【００４０】
ステップＳ４０４において帰零制御部５４がリセットボタン１９はリセット操作されていないと判定した場合、基本駆動制御部５１は、接点部３４を介してストップ信号Ｐｂを受取ることによってスタート／ストップボタン１８がストップ操作されたと判定した場合（ステップＳ４０５）、クロノ秒カウンタ５７、クロノ分カウンタ５８のカウント動作を停止すると共に、駆動パルス発生回路５２への駆動制御信号Ｐｄの送信を停止してクロノ運針を停止した（ステップＳ４１１）後、ステップＳ４０１に戻る。
【００４１】
基本駆動制御部５１がステップＳ４０５においてストップ操作されていないと判定した場合、最大計測制御部６１は、クロノ分カウンタ５８からキャリー信号を受信することによって最大計測時間を計測したと判定すると（ステップＳ４０６）、クロノグラフ針１４、１５が所定位置に停止するようにモータ３５を駆動して停止するよう駆動パルス発生回路５２を制御する（ステップＳ４１２）。また同時に、最大計測制御部６１は、クロノ秒カウンタ５７及びクロノ分カウンタ５８の計時を停止させると共に、スタート／ストップボタン１８からの入力を禁止する。図４の例では、前記クロノグラフ針１４、１５を停止させる所定位置はクロノ零位置（帰零位置）である。駆動パルス発生回路５２は、クロノグラフ針１４、１５が前記所定位置に停止するようにモータ駆動回路５３を介してモータ３５を回転駆動した後、駆動停止する。
【００４２】
次に、最大計測制御部６１は、リセットボタン１９がリセット操作されたと判定した場合（ステップＳ４１３）、クロノ秒カウンタ５７及びクロノ分カウンタ５８をリセットして動作するように制御すると共に、スタート／ストップボタンの入力禁止を解除した（ステップＳ４１４）後、ステップＳ４０１に戻る。
このようにして、クロノ計測時間が最大計測時間まで到達した場合は、リセットボタン１９によってリセット操作を行うまでは、スタート操作を受け付けないようにしている。
【００４３】
クロノ針１４、１５は帰零状態にあり又、機械的駆動機構５及び電気的駆動機構６はリセット状態に戻っているため、その後にステップＳ４０１において再スタートされると、通常通りのクロノ計測動作が再スタートする。このとき、機械的構造５はリセット状態に戻っているため、最大計測時間を計測した後の再スタート時でも、スタート／ストップボタン１８によるスタート操作時の負荷は通常と同じになり、スタート操作時の違和感が生じない。
最大計測制御部６１は、ステップＳ４０６において最大計測時間を計測していないと判定するとステップＳ４０２に戻って前記処理を行う。
【００４４】
図５は、本発明の他の実施の形態に係るクロノグラフ時計のフローチャートであり、図４と同一処理部分には同一符号を付している。本他の実施の形態の電気的構成や機械的構成は図１〜図３と同じである。以下、前記実施の形態と相違する部分についてのみ説明する。
最大計測制御部６１は、ステップＳ４０６においてクロノ分カウンタ５８からキャリー信号を受信することによって最大計測時間を計測したと判定すると、クロノグラフ針１４、１５が所定位置に停止するように駆動パルス発生回路５２を制御する（ステップＳ５０１）。図５の例では、前記所定位置としては、帰零位置の所定量手前の位置、例えば、最大計測時間の１ステップ前の位置でもよい。駆動パルス発生回路５２は、クロノグラフ針１４、１５が最大計測時間の１ステップ前の位置まで運針したとき、その位置に停止するようにモータ３５の回転駆動を停止させる。このように、クロノグラフ針１４、１５を帰零位置以外の位置に停止させることにより、ユーザは最大時間計測が行われてリセットされたことを容易に認識することが可能になる。ユーザはクロノグラフ針１４、１５を帰零位置へ戻すためにリセット操作を行い、クロノグラフ針１４、１５を帰零させる。この状態で、再スタートされると、通常通りのクロノ計測動作が再スタートする。このとき、機械的構造５はリセット状態に戻っているため、最大計測時間を計測した後の再スタート時でも、スタート操作時の負荷は通常と同じになり、スタート操作時の違和感が生じない。
【００４５】
以上述べたように、本発明の実施の形態に係るクロノグラフ時計は、クロノ計測のスタート操作、ストップ操作及びリセット操作を行う操作手段１８、１９と、所定の最大計測時間以内のクロノ計測動作を行うクロノ計測手段５７、５８と、クロノ計測した時間を表示するクロノグラフ針１４、１５と、クロノグラフ針１４、１５を駆動する駆動手段５２、５３、５５と、スタート操作に応答して最大計測時間以内のクロノ計測動作の開始、ストップ操作に応答してクロノ計測動作の停止およびリセット操作に応答してクロノ計測動作のリセットを行うようにクロノ計測手段５７、５８を制御すると共に、クロノ計測手段５７、５８が計測した時間に応じてクロノグラフ針１４、１５を駆動するように駆動手段５２、５３、５５を制御する制御手段５１、５４、６１と、スタート操作に応じて帰零状態からスタート状態に変位してクロノグラフ針１４、１５を運針可能に規正解除し、リセット操作に応じてスタート状態から帰零状態に変位してクロノグラフ針１４、１５を規正して保持すると共に、スタート状態と帰零状態における操作手段１８、１９の操作感を変えるレバー手段２５〜２７とを有し、制御手段５１、５４、６１は、クロノ計測手段５７、５８が最大計測時間を計測して計測停止状態となった場合、リセット操作後にスタート操作が行われたときにクロノ計測動作をスタートしてクロノグラフ針１４、１５を駆動するようにクロノ計測手段５７、５８及び駆動手段５２、５３、５５を制御することを特徴としている。
【００４６】
即ち、クロノ計測スタート操作時とクロノ計測ストップ操作時のスタート／ストップボタン１８の操作負荷が異なるようにしたクロノグラフ時計１において、最大計測制御部６１は、最大計測時間を計測してクロノグラフ針１４、１５を所定位置に停止してクロノ計測動作を終了した場合、リセットボタン１９による操作が行われた後にスタート／ストップボタン１８のスタート操作が行われたときにクロノ計測動作を再スタートするように構成している。
【００４７】
従来、最大計測時間に到達するとクロノ計時を自動的に停止し、次のスタート操作時にクロノ計測動作を再スタートしていたのを、リセット操作時までの間はスタートスイッチ入力を電気的に禁止することにより、規正レバー類が必ず同一の状態でスタート操作が行われて、スタート操作とストップ操作のスイッチの操作感の差が不一致となるのを防ぐことができる。このようにして、クロノグラフの最大計測時間まで計時した場合でも、クロノ計測スタート時の操作感が変化しないようにすることが可能になる。
【００４８】
尚、前記実施の形態においては、クロノ秒針が６時側、クロノ分針が９時側に配置されたクロノグラフの例を用いて説明したが、針１３をクロノ秒針として用いるセンタークロノグラフに適用しても良い。
また、レトロクロノグラフ時計に適用してもよい。
また、スタート／ストップボタン１８の操作負荷を大きくするために、スイッチばね３３とは異なるばねを追加して設けるようにしてもよい。
【産業上の利用可能性】
【００４９】
時刻針及びクロノグラフ針の駆動はモータによって電気的に行うと共に、リセット状態ではクロノグラフ針が動かないように機械的機構によって規正し、前記クロノグラフ針の駆動は前記機械的機構による規正を解除した後に行い、クロノ計測スタート操作時とクロノ計測ストップ操作時の操作部の操作感が異なるようにした各種クロノグラフ時計に適用可能である。
【符号の説明】
【００５０】
１    クロノグラフ時計
５    機械的帰零制御機構
６    電気的駆動機構
１１  時針
１２  分針
１３  秒針
１４  クロノグラフ秒針
１５  クロノグラフ分針
１６  巻真
１７  日付
１８  スタート／ストップボタン
１９  リセットボタン
２１  クロノグラフ秒真
２２  クロノグラフ秒カム
２３  クロノグラフ分真
２４  クロノグラフ分カム
２５  復針伝達第一レバー（復針伝達レバーＢ）
２６  復針伝達第二レバー（復針伝達レバーＡ）
２７  復針レバー
２８  停止レバー
３１  リセットスイッチバネ
３２  接点部
３３  スタートストップスイッチバネ
３４  接点部
３５  クロノグラフ針運針用モータ
３６  クロノグラフ針運針用輪列
４１  発振回路
４２  分周回路
５０  モータ駆動制御用集積回路
５１  基本駆動制御部
５２  駆動パルス発生回路
５３  モータ駆動回路
５４  帰零制御部
５５  回転検出回路
５７  クロノグラフ秒カウンタ
５８  クロノグラフ分カウンタ
６１・・・最大計測制御部
Ａ１、Ａ２  方向
Ｂ１、Ｂ２  方向
Ｃ１、Ｃ２、Ｃ３  中心軸線
Ｄ１  方向
Ｇ    駆動パルス
Ｊ１、Ｋ１、Ｍ１  基準位置
Ｊ２、Ｋ２、Ｍ２  帰零位置
Ｐａ  スタート信号（作動信号）
Ｐｂ  駆動停止信号
Ｐｄ  駆動制御信号
Ｐｆ  駆動停止信号
Ｑａ  リセット信号
Ｓ１  スタート状態
Ｓ２  帰零状態
Ｕ    モータ駆動パルス
【図１】
2011022042.tif 000003
【図２】
2011022042.tif 000004
【図３】
2011022042.tif 000005
【図４】
2011022042.tif 000006
【図５】
2011022042.tif 000007